(57)【要約】      （修正有）【課題】点灯によってトリガ棒が高温に加熱されても、当該トリガ棒が変形することを防止または抑制することができ、多数回にわたって点灯した場合でも、トリガ棒の変形に起因する発光管の黒化およびトリガ棒からの漏電を防止することができるフラッシュランプを提供する。【解決手段】長尺な発光管１１の外表面に、トリガ棒２１が当該発光管の管軸に沿って配置されてなるフラッシュランプにおいて、前記発光管１１の周方向に互いに離間して配置された前記トリガ棒２１の複数と、それぞれ前記発光管１１が挿通され、当該発光管１１の軸方向に互いに離間して配置された、前記トリガ棒２１の各々を互いに一体的に固定する複数のトリガリング２２とによって、トリガ構造体が形成されていることを特徴とする。【選択図】図１
0003176150.tif 000002
【実用新案登録請求の範囲】
【請求項１】
長尺な発光管の外表面に、トリガ棒が当該発光管の管軸に沿って配置されてなるフラッシュランプにおいて、
前記発光管の周方向に互いに離間して配置された前記トリガ棒の複数と、それぞれ前記発光管が挿通され、当該発光管の軸方向に互いに離間して配置された、前記トリガ棒の各々を互いに一体的に固定する複数のトリガリングとによって、トリガ構造体が形成されていることを特徴とするフラッシュランプ。
【請求項２】
前記発光管には、その外表面から突出する排気管残部が形成されており、前記トリガ構造体は、当該トリガ構造体における２つのトリガ棒が前記排気管残部の両側に位置されることによって、当該排気管残部に係合されていることを特徴とする請求項１に記載のフラッシュランプ。
【請求項３】
前記排気管残部は、前記発光管の中央部に形成されていることを特徴とする請求項２に記載のフラッシュランプ。
【請求項４】
前記トリガ構造体は、前記発光管を周方向に取り囲み、当該トリガ棒の各々の一端部を互いに一体的に固定するトリガバンドを有し、前記発光管の外表面には、前記トリガバンドの両側の位置に一対の突起が形成されており、前記トリガバンドが前記一対の突起に係合されていることを特徴とする請求項１乃至請求項３のいずれかに記載のフラッシュランプ。
【考案の詳細な説明】
【技術分野】
【０００１】
本考案は、発光管の外表面にトリガ棒が配置されてなるフラッシュランプに関し、特に電子写真法を利用した画像形成装置に搭載されるフラッシュ定着方式による定着機構に好適に用いることができるフラッシュランプに関する。
【背景技術】
【０００２】
電子写真法を利用したプリンタや複写機等の画像形成装置においては、ドラムまたはベルト形状の有機感光体等からなる像担持体の表面に、公知の電子写真プロセスにより静電潜像が形成される。そして、その静電潜像をトナーを用いて現像することによってトナー像が形成され、このトナー像を直接または中間転写体を介して例えば用紙などの記録媒体に静電的に転写した後、例えば定着機構によりトナー像を記録媒体に定着させることにより、所要の画像形成が達成される。
このような画像形成装置における定着機構としては、フラッシュランプを利用したフラッシュ定着方式によるものが知られている（例えば特許文献１および特許文献２参照。）。
【０００３】
図５は、従来のフラッシュランプを利用したフラッシュ定着方式による定着機構の一例における構成を示す説明用横断面図である。この定着機構は、記録媒体Ｐの搬送方向（図５において左右方向）に沿って並ぶよう配置された複数のフラッシュランプ８０と、このフラッシュランプ８０の背面に配置された金属製の反射板９５と、フラッシュランプ８０と搬送される記録媒体Ｐとの間に配置されたガラス窓９６とにより構成されている。
【０００４】
フラッシュランプ８０の各々は、図６に示すように、両端に封止部８１ａ，８１ｂが形成された長尺な発光管８１を有し、この発光管８１内には、それぞれ発光管８１の封止部８１ａ，８１ｂを貫通して軸方向に伸びる一対の電極８５，８６が、当該発光管８１の軸方向に互いに離間して対向するよう配置されている。この電極８５，８６の各々の基端には、電極リード棒８７，８８が電気的に接続されている。また、発光管８１内には、例えばキセノンガスが封入されている。
【０００５】
発光管８１の外表面には、当該発光管８１の軸方向に沿って伸びる、自己保形性を有する金属よりなるトリガ棒９０が、その一端部（図６において左端部）９０ａおよび他端部９０ｂがそれぞれ電極８５，８６に対向する位置に位置された状態で配置されている。このトリガ棒９０は、反射板９５への漏電を回避するために、発光管８１の外表面におけるガラス窓９６に最も接近した位置に配置されている。そして，トリガ棒９０は、その一端部９０ａが発光管８１を周方向に取り囲むトリガバンド９１に溶接によって一体的に固定され、このトリガバンド９１が、発光管８１にその管壁を締め付けた状態で固定されることにより、トリガ棒９０がトリガバンド９１を介して発光管８１に固定されている。また、トリガ棒９０には、それぞれ発光管８１が挿通され、当該発光管８１の軸方向に互いに離間して配置された、切欠き（図示省略）を有する複数の略Ｃ字状のトリガリング９２によって保持されている。
【０００６】
また、発光管８１には、その外表面から突出する排気管残部８２が形成されており、トリガ棒９０は、発光管８１の周方向に変位が規制されるよう排気管残部８２に係合されている。
更に、発光管８１の一端部における外表面は、トリガバンド９１の両側の位置に一対の突起８３，８４が形成されており、トリガバンド９１は、発光管８１の軸方向の移動が規制されるよう一対の突起８３，８４に係合されている。
また、トリガハンド９１には、トリガ棒９０に給電するためのトリガリード棒９３が電気的に接続されている。
【０００７】
上記の定着機構においては、表面に未定着のトナーが保持された記録媒体Ｐが、搬送機構（図示省略）によって搬送されて、ガラス窓９６に対向する定着処理領域に到達すると、フラッシュランプ８０の各々が、一対の電極８５，８６間にランプ電圧が印加されると共に、トリガ棒９０に高電圧が印加されることによって点灯し、当該フッシュランプ８６からのフラッシュ光が、ガラス窓９６を介して、定着処理領域を通過中の記録媒体Ｐの表面に照射され、これにより、記録媒体Ｐの表面に保持されたトナーが熱定着される。
【０００８】
而して、このような定着機構が搭載される画像形成装置においては、その内部の構造上、定着処理領域を形成するためのスペースが限られており、画像形成装置の小型化或いはその他の理由により、図７に示すように、記録媒体Ｐが上下方向に搬送されるよう定着処理領域を形成することが必要な場合がある。このような場合には、フラッシュランプ８０は、上下方向に搬送される記録媒体Ｐに対して水平方向に光を出射することが必要であるため、トリガ棒９０がガラス窓９６に最も接近した位置に位置された状態で、発光管８１の管軸が水平方向に伸びるよう水平状態で配置される。
【先行技術文献】
【特許文献】
【０００９】
【特許文献１】特開２００８−１４０６５６号公報
【特許文献２】特許第２８７２８８４号公報
【考案の概要】
【考案が解決しようとする課題】
【００１０】
しかしながら、上記の構成の画像形成装置において、従来のフラッシュランプ８０を用いる場合には、以下のような問題がある。
フラッシュランプ８０を点灯すると、当該フラッシュランプが放射する光によってトリガ棒９０が高温に加熱され、これにより、トリガ棒９０の自己保形性が損なわれると共に、トリガ棒９０は、高温に加熱されることによって、その表面に酸化が生じる。そして、多数回にわたってフラッシュランプ８０を点灯した場合には、図８に示すように、トリガ棒９０におけるトリガバンド９１が装着されていない他端部が自重によって変形し、発光管８１の周方向に沿って垂下することにより、トリガ棒９０の表面が発光管８１における排気管残部８２に擦られる結果、トリガ棒９０を構成する金属の酸化物よりなる粉体が飛散して発光管８１の外表面に付着して発光管８１の黒化が生じることにより、フラッシュランプ８０からの光の照度が低下する。
また、トリガ棒９０の他端部が、大きく変形することによって反射板９５に接近または接触するため、トリガ棒９０に高電圧が印加されたときに、当該トリガ棒９０から反射板９５に漏電する結果、フラッシュランプ８０を点灯することが困難となる。
これらの現象は、画像形成装置における高速処理化によるフラッシュランプの高照度化に伴って生じるものであり、フラッシュランプに供給される電力が増加するに連れて顕著に発生する。
【００１１】
本考案は、以上のような事情に基づいてなされたものであって、その目的は、点灯によってトリガ棒が高温に加熱されても、当該トリガ棒が変形することを防止または抑制することができ、多数回にわたって点灯した場合でも、トリガ棒の変形に起因する発光管の黒化およびトリガ棒からの漏電を防止することができるフラッシュランプを提供することにある。
【課題を解決するための手段】
【００１２】
本考案のフラッシュランプは、長尺な発光管の外表面に、トリガ棒が当該発光管の管軸に沿って配置されてなるフラッシュランプにおいて、
前記発光管の周方向に互いに離間して配置された前記トリガ棒の複数と、それぞれ前記発光管が挿通され、当該発光管の軸方向に互いに離間して配置された、前記トリガ棒の各々を互いに一体的に固定する複数のトリガリングとによって、トリガ構造体が形成されていることを特徴とする。
【００１３】
本考案のフラッシュランプにおいては、前記発光管には、その外表面から突出する排気管残部が形成されており、前記トリガ構造体は、当該トリガ構造体における２つのトリガ棒が前記排気管残部の両側に位置されることによって、当該排気管残部に係合されていることが好ましい。
このようなフラッシュランプにおいては、前記排気管残部は、前記発光管の中央部に形成されていることが好ましい。
また、本考案のフラッシュランプにおいては、前記トリガ構造体は、前記発光管を周方向に取り囲み、当該トリガ棒の各々の一端部を互いに一体的に固定するトリガバンドを有し、前記発光管の外表面には、前記トリガバンドの両側の位置に一対の突起が形成されており、前記トリガバンドが前記一対の突起に係合されていることが好ましい。
【考案の効果】
【００１４】
本考案のフラッシュランプによれば、発光管の周方向に互いに離間して配置された複数のトリガ棒が、発光管の軸方向に互いに離間して配置された複数のトリガリングに互いに一体的に固定されてなる立体構造のトリガ構造体が形成されていることにより、トリガ棒が高い温度に加熱されても、トリガ構造体全体が高い強度を有するため、トリガ棒が変形することを防止または抑制することができる。従って、多数回にわたって点灯した場合でも、トリガ棒の変形に起因する発光管の黒化およびトリガ棒からの漏電を防止することができる。その結果、フラッシュランプから放射される光の照度が低下することを防止することができると共に、当該フラッシュランプを確実に点灯することができる。
また、トリガ構造体における２つのトリガ棒が、発光管に形成された排気管残部の両側に位置されることによって、当該トリガ構造体が当該排気管残部に係合されている構成によれば、排気管残部によってトリガ構造体が発光管の周りを回転することが規制されるため、発光管の周方向におけるトリガ棒の移動を防止または抑制することができる。
また、トリガ構造体が、トリガ棒の各々の一端部を互いに一体的に固定するトリガバンドを有し、このトリガバンドが、発光管の外表面における当該トリガバンドの両側の位置に形成された一対の突起に係合されている構成によれば、一対の突起によってトリガ構造体が発光管の軸方向に移動することが規制されるため、発光管の軸方向におけるトリガ棒の移動を防止または抑制することができる。
【図面の簡単な説明】
【００１５】
【図１】本考案のフラッシュランプの一例における構成を示す説明図であり、（ａ）は正面図、（ｂ）は（ａ）に示すフラッシュランプのＡ−Ａ断面図である。
【図２】発光管における排気管残部およびその周辺部を拡大して示す説明用断面図である。
【図３】図１に示すフラッシュランプの組み立て過程を示す説明図である。
【図４】本考案のフラッシュランプの他の例における構成を示す説明図であり、（ａ）は側面図、（ｂ）は正面図、（ｃ）は（ｂ）に示すフラッシュランプのＡ−Ａ断面図である。ある。
【図５】従来のフラッシュランプを利用したフラッシュ定着方式による定着機構の一例における構成を示す説明用横断面図である。
【図６】従来のフラッシュランプの一例における構成を示す説明図である。
【図７】記録媒体が上下方向に搬送される定着処理領域を有する定着機構におけるフラッシュランプと反射鏡との位置関係を示す説明用断面図である。
【図８】従来のフラッシュランプにおけるトリガ棒が高温に加熱されることによって変形した状態を示す説明図である。
【考案を実施するための形態】
【００１６】
以下、本考案のフラッシュランプの実施の形態について詳細に説明する。
図１は、本考案のフラッシュランプの一例における構成を示す説明図であり、（ａ）は正面図、（ｂ）は（ａ）に示すフラッシュランプのＡ−Ａ断面図である。
このフラッシュランプ１０は、例えば電子写真法を利用した画像形成装置に搭載される定着機構に用いられるものであって、両端に封止部１１ａ，１１ｂが形成された長尺な直管状の発光管１１を有し、この発光管１１内には、それぞれ発光管１１の封止部１１ａ，１１ｂを貫通して軸方向に伸びる一対の電極１５，１６が、当該発光管１１の軸方向に互いに離間して対向するよう配置されている。この一対の電極１５，１６の各々の基端には、電極リード棒１７，１８が電気的に接続されている。また、発光管１１内には、発光用ガスとして例えばキセノンガスが封入されている。
【００１７】
発光管１１の外表面には、それぞれ発光管８１の軸方向に沿って伸びる、自己保形性を有する金属よりなる３つのトリガ棒２１が、それぞれ一端部（図１において左端部）２１ａおよび他端部２１ｂが一対の電極１５，１６に対向する位置に位置された状態で、互いに周方向に離間して配置されている。トリガ棒２１の各々には、それぞれ発光管１１が挿通され、当該発光管１１の軸方向に互いに離間して配置された、切欠き２２Ｋを有する複数の略Ｃ字状のトリガリング２２が溶接によって接合されており、トリガ棒２１の各々は、複数のトリガリング２２を介して互いに一体的に固定されている。また、トリガ棒２０の各々は、一端部２１が発光管１１を周方向に取り囲むトリガバンド２３に溶接によって接合されることにより固定されている。そして、複数のトリガ棒２１、複数のトリガリング２２およびトリガバンド２３によって、立体構造のトリガ構造体２０が形成され、このトリガ構造体２０は、トリガバンド２３によって発光管１１の管壁が締め付けられることによって、当該発光管１１に保持されている。また、トリガハンド２３には、トリガ棒２１に給電するための２つのトリガリード棒２５が電気的に接続されている。
【００１８】
発光管１１の中央部には、その外表面から突出する排気管残部１２が形成されている。そして、図２に拡大して示すように、トリガ構造体２０は，当該トリガ構造体２０の３つのトリガ棒２１のうち２つのトリガ棒２１が排気管残部１２の両側に位置されることによって、当該排気管残部１２に係合されていることが好ましい。
また、発光管１１の一端部１１ａにおける外表面には、トリガバンド２３の両側に位置する箇所に、一対の突起１３，１４が発光管１１の軸方向に並ぶよう形成されており、この一対の突起１３，１４の間にトリガバンド２３が係合されていることが好ましい。
【００１９】
発光管１１を構成する材料としては、石英ガラスを用いることができる。
発光管１１における排気管残部１２の外径は、例えば４〜７ｍｍである。
また、発光管１１における一対の突起１３，１４の各々の外径は、例えば１．５〜２．５ｍｍである。
発光部１１内に封入される発光用ガスの封入圧は、静圧で例えば２９〜３０ｋＰａである。
電極１５，１６を構成する材料としては、例えばモリブデンなどの高融点金属を主成分とする材料を用いることができる。
【００２０】
トリガ構造体２０において、隣接するトリガ棒２１間の離間距離は、例えば９〜１１ｍｍである。
。
トリガ棒２１の外径は、例えば０．９〜１．１ｍｍである。
トリガ棒２１を構成する材料としては、ＳＵＳ３０４Ｌ等のステンレスなどの自己保形性の高い金属材料を用いることができる。
トリガリング２２を構成する材料としては、ＳＵＳ３０４Ｌ等のステンレスなどの自己保形性の高い金属材料を用いることができる。
トリガバンド２３を構成する材料としては、ニッケルなどの金属材料を用いることができる。
【００２１】
図１に示す構成のフラッシュランプ１０は、例えば以下のようにして組み立てることができる。
図３に示すように、３つのトリガ棒２１の各々の一端部２１ａにトリガバンド２３を例えば溶接によって接合すると共に、これらのドリガ棒２１に、複数のトリガリング２２を当該トリガ棒２１の軸方向に沿って所要の間隔で配置し、例えば溶接によって接合することにより、トリガ構造体２０を作製する。そして、このトリガ構造体２０に、一対の電極１５，１６が設けられた発光管１１を挿入する。このとき、発光管１１に形成された排気管残部１２および一対の突起１３，１４が、発光管１１をトリガ構造体２０に挿入する際の障害となるが、トリガリング２２に形成された切欠き２２Ｋに排気管残部１２および一対の突起１３，１４を通過させることにより、発光管１１をトリガ構造体２０にスムーズに挿入することができる。そして、２つのトリガ棒２１が、発光管１１における排気管残部１２の両側に位置されると共に、トリガバンド２３が、発光管１１における一対の突起１３，１４の間の位置に位置されるよう、発光管１１に対するトリガ構造体２０の位置合わせを行い、この状態で、トリガバンド２３を発光管１１に締め付けることによって固定することにより、図１に示すフラッシュランプ１０が組み立てられる。
【００２２】
上記のフラッシュランプ１０は、記録媒体が上下方向に搬送されるよう定着処理領域を有するフラッシュ定着方式の定着機構に好適に用いることができる。このような定着機構においては、当該定着気宇項におけるガラス窓と反射板との間に、中央のトリガ棒２１がガラス窓に最も接近した位置に位置された状態で、発光管１１の管軸が水平方向に伸びるよう水平状態で配置される。
【００２３】
このようなフラッシュランプ１０によれば、発光管１１の周方向に互いに離間して配置された複数のトリガ棒２１が、発光管１１の軸方向に互いに離間して配置された複数のトリガリング２２に互いに一体的に固定されてなる立体構造のトリガ構造体２０が形成されていることにより、トリガ棒２１が高い温度に加熱されても、トリガ構造体２０全体が高い強度を有するため、トリガ棒２１が変形することを防止または抑制することができる。従って、多数回にわたって点灯した場合でも、トリガ棒２１の変形に起因する発光管１１の黒化およびトリガ棒２１からの漏電を防止することができる。その結果、フラッシュランプ１０から放射される光の照度が低下することを防止することができると共に、当該フラッシュランプ１０を確実に点灯することができる。
また、トリガ構造体２０における２つのトリガ棒２１が、発光管１１に形成された排気管残部１２の両側に位置されることによって、当該トリガ構造体２０が当該排気管残部１２に係合されていることにより、排気管残部１２によってトリガ構造体２０が発光管１１の周りを回転することが規制されるため、発光管１１の周方向におけるトリガ棒２１の移動を防止または抑制することができる。
また、トリガバンド２３が、発光管１１の外表面における当該トリガバンド２３の両側の位置に形成された一対の突起１３，１４に係合されていることにより、一対の突起１３，１４によってトリガ構造体２０が発光管１１の軸方向に移動することが規制されるため、発光管１１の軸方向におけるトリガ棒２１の移動を防止または抑制することができる。
【００２４】
本考案のフラッシュランプは、上記の実施の形態に限定されず種々の変更を加えることが可能である。
例えばトリガ構造体２０におけるトリガ棒２１の数は３本に限定されず、図４に示すように、２本であってもよい。
【実施例】
【００２５】
以下、本考案のフラッシュランプの具体的な実施例について説明するが、本考案はこれらに限定されるものではない。
【００２６】
〈実施例１〉
図１に示す構成に従い、下記の仕様を有するフラッシュランプを作製した。
発光管（１１）は、石英ガラス製で、全長が６５９ｍｍ、外径が１３ｍｍ、内径が１０．４ｍｍのものである。また、発光管（１１）内には、静圧で２９ｋＰａ（２２０ｍｍＨｇ）のキセノンガスが封入されている。また、発光管（１１）には、一端から３００ｍｍの位置に外径が５ｍｍの排気管残部（１２）が形成されていると共に、一端から３２．５ｍｍの位置および一端から３７．５ｍｍの位置に、外径が２ｍｍの２つの突起（１３，１４）が発光管（１１）の軸方向に並ぶよう形成されている。
電極（１５，１６）の各々は、モリブデンを主成分とする材料よりなり、全長が６ｍｍ、外径が５．５ｍｍのものである。また、一対の電極（１５，１６）の電極間距離は、５８０ｍｍである。
トリガ構造体（２０）におけるトリガ棒（２１）の数は合計で３本で、各トリガ棒（２１）は、ステンレス（ＳＵＳ３０４Ｌ）よりなり、全長が５９２ｍｍ、線径が１ｍｍのものである。また、発光管（１１）の周方向における隣接するトリガ棒（２１）間の離間距離は、それぞれ１０ｍｍである。
トリガリング（２２）は、ステンレス（ＳＵＳ３０４Ｌ）よりなり、リング内径が１４ｍｍ、線径が１ｍｍのものである。また、トリガリング（２２）の数は、合計で６個で、最も発光管（１１）の一端側（トリガハンド側）に位置するトリガリング（２２）とこれに隣接するトリガリング（２２）との間の離間距離が１０８ｍｍ、最も発光管（１１）の他端側に位置するトリガリング（２２）とこれに隣接するトリガリング（２２）との間の離間距離が１０５ｍｍ、その他の隣接するトリガリング（２２）間の離間距離が９２．５ｍｍである。
トリガハンド（２３）は、ニッケルよりなり、幅が２ｍｍ、厚みが０．３ｍｍのものである。
【００２７】
〈実施例２〉
トリガ棒（２１）の数を３本から２本に変更し、発光管（１１）の周方向におけるトリガ棒（２１）間の離間距離を１０ｍｍから７ｍｍに変更したこと以外は、実施例１と同様の構成のフラッシュランプを作製した。
【００２８】
〈比較例１〉
トリガ棒（２１）の数を３本から１本に変更したこと以外は、実施例１と同様の構成のフラッシュランプを作製した。
【００２９】
〔フラッシュランプの評価〕
実施例１〜２および比較例１に係るフラッシュランプの各々について、１回の閃光発光における発光エネルギーＥが３６０Ｊ（Ｖｃ＝１８５０Ｖ，Ｃ＝２１０μＦ，Ｌ＝４４０μＨ）となる条件で、１秒間に８．９回の時間間隔で合計６００万回の点灯動作を行う連続点灯試験を行った。
連続点灯試験が終了した後、各フラッシュランプにおけるトリガ棒を観察したところ、実施例１〜２に係るフラッシュランプにおいては、トリガ棒の変形は認められなかった。これに対して、比較例１に係るフラッシュランプにおいては、トリガ棒におけるトリガバンドが接合されていない他端部が、発光管の周方向に沿って３０°以上の角度で曲がっていた。
また、各フラッシュランプの発光管を観察したところ、実施例１〜２に係るフラッシュランプにおいては、発光管の黒化は認められなかった。これに対して、比較例１に係るフラッシュランプにおいては、発光管の黒化が認められ、当該フラッシュランプの照度を測定したところ、初期の照度の８５％以下に低下していた。
【符号の説明】
【００３０】
１０  フラッシュランプ
１１  発光管
１１ａ，１１ｂ  封止部
１２  排気管残部
１３，１４  突起
１５，１６  電極
１７，１８  電極リード棒
２０  トリガ構造体
２１  トリガ棒
２１ａ  一端部
２１ｂ  他端部
２２  トリガリング
２２Ｋ  切欠き
２３  トリガハンド
２５  トリガリード棒
８０  フラッシュランプ
８１  発光管
８１ａ，８１ｂ  封止部
８２  排気管残部
８３，８４  突起
８５，８６  電極
８７，８８  電極リード棒
９０  トリガ棒
９０ａ  一端部
９０ｂ  他端部
９１  トリガハンド
９２  トリガリング
９３  トリガリード棒
９５  反射板
９６  ガラス窓
Ｐ  記録媒体
【図１】
0003176150.tif 000003
【図２】
0003176150.tif 000004
【図３】
0003176150.tif 000005
【図４】
0003176150.tif 000006
【図５】
0003176150.tif 000007
【図６】
0003176150.tif 000008
【図７】
0003176150.tif 000009
【図８】
0003176150.tif 000010